(57)【要約】【課題】  使用後の磁気記録媒体、特に磁気ディスク記憶装置に記録されている情報を、簡単に且確実に消去し、装置を廃棄したときに第三者への記録されていた情報の漏洩を防止するための方法及び装置を提供せんとするものである。【解決手段】  磁力が一方向に形成される方向性電磁鋼板を用いた電気式磁界発生装置の第１磁極と第２磁極とを空間を存して配置し、該空間内に被消磁対象物である磁気記録媒体を存在させ、空間内を通って一方の磁極から他方の磁極に移動する磁力により、前記磁気記録媒体に記録されている磁気情報を消去するようにしたことを特徴とする。【選択図】  図１
2005122842.tif 000002
【特許請求の範囲】
【請求項１】
磁力が一方向に形成される方向性電磁鋼板を用いた電気式磁界発生装置の第１磁極と第２磁極とを空間を存して配置し、該空間内に被消磁対象物である磁気記録媒体を存在させ、空間内を通って一方の磁極から他方の磁極に移動する磁力により、前記磁気記録媒体に記録されている磁気情報を消去するようにしたことを特徴とする磁気記録媒体に記録された磁気情報を消去するための方法。
【請求項２】
第１磁極と第２磁極の延長軸線が空間内において直交する位置関係に配されていることを特徴とする請求項１記載の磁気記録媒体に記録された磁気情報を消去するための方法。
【請求項３】
第１磁極と第２磁極が直線上において対向して配置されていることを特徴とする請求項１記載の磁気記録媒体に記録された磁気情報を消去するための方法。
【請求項４】
電気式磁界発生装置は、第１磁極と第２磁極の延長軸線が空間内において直交する位置関係に配され全体が略Ｕ字状の形状を有することを特徴とする請求項１又は２記載の磁気記録媒体に記録された磁気情報を消去するための方法。
【請求項５】
電気式磁界発生装置により生成される磁力の向きが、周期的に変化するようになっていることを特徴とする請求項１乃至４のいずれかに記載の磁気記憶媒体に記録された磁気情報を消去するための方法。
【請求項６】
電気式磁界発生装置に１秒乃至数秒間電力を供給するようにしたことを特徴とする請求項１乃至５のいずれかに記載の磁気記憶媒体に記録された磁気情報を消去するための方法。
【請求項７】
磁気記憶媒体が、磁気ディスク記録装置（ハードディスク装置）であることを特徴とする請求項１乃至６のいずれかに記載の磁気記憶媒体に記録された磁気情報を消去するための方法。
【請求項８】
磁力が一方向に形成される方向性電磁鋼板を用いた電気式磁界発生装置の第１磁極と第２磁極とを空間を存して配置し、空間内を通って一方の磁極から他方の磁極に移動する磁力の方向と磁気ディスク装置内に収納されている磁気ディスクの記録面とが平行するように磁気ディスク記録装置を前記空間に存在させ、電気式磁界発生装置に電力を供給して磁気ディスク記録装置に磁力を与え、記録されている磁気情報を消去するようにしたことを特徴とする請求項１乃至７のいずれかに記載の磁気記録媒体に記録された磁気情報を消去するための方法。
【請求項９】
被消去対象物である磁気ディスク記録装置に駆動用電力を供給し、該装置内に収納されている磁気ディスクを回転状態とすることを特徴とする請求項７又は８記載の磁気記録媒体に記録された磁気情報を消去するための方法。
【請求項１０】
被消去対象物である磁気記録媒体が電気式磁界発生装置により生成される磁力の影響を受けやすくするための位置決め手段を設けたことを特徴とする請求項１乃至９のいずれかに記載の磁気記録媒体に記録された磁気情報を消去するための方法。
【請求項１１】
磁力が一方向に形成される方向性電磁鋼板を用いた電気式磁界発生装置の第１磁極と第２磁極とを空間を存して配置し、該空間内に被消磁対象物である磁気記録媒体を存在させ、空間内を通って一方の磁極から他方の磁極に移動する磁力により、前記磁気記録媒体に記録されている磁気情報を消去するようにしたことを特徴とする磁気記録媒体に記録された磁気情報を消去するための装置。
【請求項１２】
第１磁極と第２磁極の延長軸線が空間内において直交する位置関係に配されていることを特徴とする請求項１１記載の磁気記録媒体に記録された磁気情報を消去するための装置。
【請求項１３】
第１磁極と第２磁極が直線上において対向して配置されていることを特徴とする請求項１１記載の磁気記録媒体に記録された磁気情報を消去するための装置。
【請求項１４】
電気式磁界発生装置は、第１磁極と第２磁極の延長軸線が空間内において直交する位置関係に配され全体が略Ｕ字状の形状を有することを特徴とする請求項１１又は１２記載の磁気記憶媒体に記録された磁気情報を消去するための装置。
【請求項１５】
電気式磁界発生装置が、帯状の方向性電磁鋼板を巻回した後、切削加工して形成されていることを特徴とする請求項１１乃至１４のいずれかに記載の磁気記憶媒体に記録された磁気情報を消去するための装置。
【請求項１６】
電気式磁界発生装置に巻回するコイルを、第１磁極近傍及び第２磁極近傍に各々巻回することを特徴とする請求項１１乃至１５のいずれかに記載の磁気記録媒体に記録された磁気情報を消去するための装置。
【請求項１７】
電気式磁界発生装置へ交流電力を供給し、一方の磁極から他方の磁極に流れる磁力の向きを周期的に変化させるようにしたことを特徴とする請求項１１乃至１６のいずれか記載の磁気記録媒体に記録された磁気情報を消去するための装置。
【請求項１８】
被消去対象物である磁気ディスク記録装置に駆動用電力を供給するためのサブ電源を備えていることを特徴とする請求項１１乃至１７のいずれか記載の磁気記録媒体に記録された磁気情報を消去するための装置。
【請求項１９】
被消去対象物である磁気記録媒体が磁界発生装置により生成される磁力の影響を受けやすくするための位置決め手段を設けたことを特徴とする請求項１１乃至１８のいずれかに記載の磁気記録媒体に記録された磁気情報を消去するための装置。
【発明の詳細な説明】
【技術分野】
【０００１】
本発明は、磁気記録媒体に電磁石により生成された磁力を与え、磁気記録媒体に記録されている気情報を消去し、不要になった磁気記録媒体を廃棄した際に、記録されている情報の漏洩を防止し、安全に廃棄するための磁気記録媒体の磁気情報を消去する方法及び装置に関する。
【背景技術】
【０００２】
従来、企業や個人で使用した磁気記録媒体特に磁気ディスク記憶装置（以下単にＨＤＤという）を廃棄するときは、記録された情報を第三者に知られないようにするために、コンピュータに接続した状態でオペレーティングシステムからフォーマット処理をして記録されている磁気情報を消去してから廃棄していた。しかしながら、このオペレーティングシステムによるフォーマットでは、ＨＤＤ内の記録情報の内、磁気情報の配置等を管理している管理領域のみを消去し、見かけ上磁気情報が消去されているようにするのみで、実際の磁気情報はディスク上に残されているため、ＨＤＤ解析ソフトウェア等を利用してディスク上に残されている磁気情報が解析され、機密文書等が漏洩するという問題が発生している。
【０００３】
このような状況を鑑み種々の磁気記録媒体に記録された磁気情報を消去するために、磁気記録媒体に外部から磁気を作用させ、記録さえている磁気情報を消去する方法が提供されてきた。例えば、カセットテープ、磁気ディスク等の記録媒体を円筒状の磁気コイル内に挿入して磁気を消去する方法（例えば特開昭６０−１２９９０９号参照）や、磁界内に磁気ディスク装置の一部を挿入して装置内に納められたディスク記憶媒体に記録された情報を消去する方法（例えば特許第３０６３８６０号参照）がある。
後者による消去方法はいわゆるハードディスク装置（以下単にＨＤＤという）に記録されている磁気情報を消去することを目的としている。この消去方法では互いに反発し合う極性をもった永久磁石を対向する位置に配置し、該対向する永久磁石により生成された垂直又は水平方向に磁力線が存する磁界内にＨＤＤを挿入し、ＨＤＤ内部に納められた磁気ディスクに磁力を作用させ記録を消去しようとするものである。
【０００４】
対向する磁石を配置し間隙に磁界を発生させた（この技術にあっては垂直方向の磁界を示す）場合、該間隙に磁性体が存在しない場合には一方の磁石から他方の磁石へ到達する磁力が発せれるが、間隙に磁性体が存在する場合は、磁力は該磁性体に引き寄せられる。磁性体を通過し対向する磁極まで磁力が通過するためには、その間隙に相当する距離に比例した長さの磁性体が必要となり、充分な長さの磁性体を確保できない場合には、引き寄せられた磁力は急激な減衰を引き起こし、結果磁性体までは磁力が到達するが、対向する磁極までは磁力は到達しない。又、磁力を引き寄せ、対向する磁極へ磁力を逃すことのできない磁性体は磁石様の効果を奏するため、引き寄せた磁力と反極の状態となり結果引き寄せた磁力は永久磁石へ戻ってしまう。このため、後者技術のように対向する永久磁石の間隙に磁気ディスクを配置した場合、上又は下の永久磁石から発せられた磁力は最上部の磁気ディスクの上側磁石側面又は最下部の磁気ディスクの下側磁石面に塗布された磁性体まで到達することになるが、磁極間に存在する磁性体の長さは、磁気ディスク表面に塗布された厚み分しかないので、引き寄せられた磁力は磁気ディスク表面の磁性体に到達後、もとの永久磁石へ戻ってしまうこととなる。
【０００５】
このように、磁気ディスク表裏面を挟むように上下に永久磁石を配置した場合、永久磁石が存在する側の磁気ディスク表面には磁力が到達するが、その裏面までは磁力が到達しないのであるから、ＨＤＤ内に複数の磁気ディスク例えば３枚あったとするならば、外側に位置する磁気ディスクの外側面に塗布された磁性体までした磁力は到達せず、結果、外側に位置した磁気ディスクの裏面及び中間に位置する２枚目磁気ディスクの表裏面の計４面には磁力が到達しない。よって、このような方法を用いた場合、ＨＤＤに記録された磁気情報を消去することは困難である。
【０００６】
【特許文献１】特開昭６０−１２９９０９号公報
【特許文献２】特許第３０６３８６０号公報
【発明の開示】
【発明が解決しようとする課題】
【０００７】
この発明は、使用後の磁気ディスク装置に記録されている磁気情報を、簡単に且確実に消去し、装置を廃棄したときに第三者に記録されていた情報が漏洩してしまうことを防止するための方法及び装置を提供せんとするものである。
【課題を解決するための手段】
【０００８】
上記課題を解決するためにこの発明が採った手段は、磁力が一方向に形成される方向性電磁鋼板を用いた電気式磁界発生装置の第１磁極と第２磁極とを空間を存して配置し、該空間内に被消磁対象物である磁気記録媒体を存在させ、空間内を通って一方の磁極から他方の磁極に移動する磁力により、前記磁気記録媒体に記録されている磁気情報を消去するようにしたことを特徴とする。
【０００９】
又、第１磁極と第２磁極の延長軸線が空間内において直交する位置関係若しくは、第１磁極と第２磁極が直線上において対向して配置されていることを特徴とし、好ましくは、第１磁極と第２磁極の延長軸線が空間内において直交する位置関係に配され全体が略Ｕ字状の形状を有することを特徴とする。
【００１０】
更に、電気式磁界発生装置により生成される磁力の向きが、周期的に変化するようになっていることを特徴とし、又、電気式磁界発生装置に１秒乃至数秒間電力を供給するようにしたことを特徴とする。
【００１１】
更に、磁力が一方向に形成される方向性電磁鋼板を用いた電気式磁界発生装置の第１磁極と第２磁極とを空間を存して配置し、空間内を通って一方の磁極から他方の磁極に移動する磁力の方向と磁気ディスク装置内に収納されている磁気ディスクの記録面とが平行となるように磁気ディスク記録装置を前記空間に存在させ、電気式磁界発生装置に電力を供給して磁気ディスク記録装置に磁力を与え、記録されている磁気情報を消去するようにしたことを特徴とする。
【００１２】
更に、被消去対象物である磁気ディスク装置に駆動用電力を供給し、該装置内に収納されている磁気ディスクを回転状態とすることを特徴とする。
【００１３】
更に、被消去対象物である磁気記録媒体が電気式磁界発生装置により生成される磁力の影響を受けやすくするための位置決め手段を設けたことを特徴とする。
【００１４】
更に、電気式磁界発生装置が、帯状の方向性電磁鋼板を巻回した後、切削加工して形成されていることを特徴とする。
【発明の効果】
【００１５】
本願発明によれば、使用済の磁気記録媒体、特に磁気ディスク記憶装置に記録された磁気情報を、簡単且短時間で確実に消去することが出来るため、消去処理後に廃棄処分としたものが第三者に渡ったとしても、以前に記録されていた磁気情報が読み出されるということはなく、情報漏洩の心配をせずに磁気ディスク記憶装置の廃棄を行うことが出来るようになる。
【発明を実施するための最良の形態】
【００１６】
以下に図面を参照しつつ本願発明による磁気記録媒体、特に磁気ディスク記憶装置に記録された磁気情報の消去方法について詳細に説明する。図１は本願の消去方法の装置回路図であり、(１)は電気式磁界発生装置であり、第１磁極と第２磁極の延長軸線が空間内において直交する位置関係に配され全体が略Ｕ字状の形状を有するコアを有している。前記Ｕ字状コアにはコイル(４)が巻回され、電力供給時に第１磁極(２)及び第２磁極(３)を結ぶ空間に、一方の磁極から他方の磁極へ移動する磁力を発生する。電気式磁界発生装置(１)は、一本の帯状の方向性電磁鋼板を長円形に巻回したものを、図示の如く第１磁極と第２磁極の延長軸線が空間内において直交する位置関係になるように切削加工されている。尚、図示の電気式磁界発生装置ではコアに巻回したコイル(４)は１箇所としているが、いずれか一方の磁極近傍、若しくは両磁極近傍に巻回することも可能である。両磁極近傍に巻回した場合には１箇所に巻回した場合に比べ、各々の巻回数を減少させることが出来、電気式磁界発生装置自体を小型化することが出来るというメリットもある。
【００１７】
(６)はコイル(４)への電力供給のＯＮ／ＯＦＦするメインタイマーであり、該メインタイマー(６)には起動スイッチ(７)及びマグネットスイッチ(８)が接続されている。(９)はサブ電源でありコネクタ(10)を介してＨＤＤ(20)の駆動用電力を供給する。又、(11)は冷却ファン(11)であり、メインスイッチ(５)と連動して動作し、磁界発生装置(１)を冷却する。(12)は磁界発生装置(１)への電力供給量を示す電流計である。
【００１８】
電気電気式磁界発生装置(１)は前述のとおり一本の方向性電磁鋼板を長円形に巻回したものを切削加工しているため、第１・第２磁極(２)(３)の端面から発生する磁力は磁極端面から放射状に放出される磁力が極めて少なくなる。よって、第１・第２両磁極(２)(３)間（以下、エアギャップという）に、図２に示すように一方の磁極で生成された磁力のほぼ全ての磁力が他方の磁極へ向け移動する円弧状の磁力が生成される。尚、磁力の向きはコアに供給された電力の向きに応じて変化する。このため従来のような任意の形状に打ち抜いた鋼板等を積層してコアを形成した場合に比べ、エアギャップ部に生成される磁力を非常に強力なものとすることが出来る。更に、エアギャップ部における円弧状の磁力線は、磁気ディスク装置(20)内に納められたディスクの円周の約半分の円弧と近似するものとなるようにエアギャップのサイズを調整してので、後述の消去動作を行ったときにディスクに対する磁力の影響を非常に大きくすることが出来る。
【００１９】
コイル(４)に供給する電流は、図示のものでは交流の電力を供給するようにしているが、直流電力を供給することも可能である。交流・直流いずれかの電力を供給した場合であっても、電気式磁気発生装置には前述のとおり方向性電磁鋼板を用いているため、電力の供給直後に最大磁力を発生させることが可能であり、被消去対象物であるＨＤＤに瞬時に且大きな磁力の影響を与えることが出来る。これにより、本発明を用いれば、ＨＤＤに記録された磁気情報を、１秒乃至数秒で消去することが出来る。又、メインタイマー(６)によりコイル(４)への電力供給時間を１秒乃至数秒に設定することが出来るので、コイルに必要以上の電力を供給する無駄が生じず、省電力で記録情報の消去が出来る。
【実施例】
【００２０】
以下、消去のための動作方法を説明する。まず磁気情報消去対象となるＨＤＤ(20)を電気式磁界発生装置(１)のエアギャップ部に配置する。このとき、ＨＤＤ(20)内に納められた磁気ディスクが、エアギャップ部に生成される円弧状の磁界と重なるようにすることが望ましい。又、同時にＨＤＤ(20)の電源供給用コネクタ部に、サブ電源(９)から共有される電力をコネクタ(10)を介して供給できるようする。尚、図示していないが、ＨＤＤ(20)をエアギャップ部に配置したときにＨＤＤ(20)のガタつきを防止したり、磁気ディスク装置内の磁気ディスクが磁力の影響を最も良く受けるようにするための位置決め手段を備えるようにしても良い。
【００２１】
次にメインスイッチ(５)をＯＮにすることにより、メインタイマー(６)及びサブ電源(９)への電力供給が開始される。又、同時にサブ電源で生成された電力がコネクタ(10)を介してＨＤＤ(20)に供給され稼働状態となる。この時冷却ファン(11)も稼働状態となる。尚、メインタイマー(６)は起動スイッチ(７)が押されるまで動作しないため、メインスイッチ(５)をＯＮにしただけではコイル(４)への電力供給はなく、電気式磁界発生装置(１)で磁界が生成されることはない。メインタイマー(６)により任意の稼働時間をセットした後、起動スイッチ(７)をいれるとメインタイマー(６)が動作を開始し、設定された時間だけマグネットスイッチ(８)のＯＮ動作を行いコイル(４)への電力供給が行われ電気式磁界発生装置(１)で磁界が生成される。該メインタイマー(６)の設定時間については任意の時間を採用することとが出来るが、前述のとおり電気式磁界発生装置(１)による磁力の生成は電力供給直後に磁気記録媒体の磁気情報を消去するに必要な磁力を発生し、１秒乃至数秒でＨＤＤの記録情報を消去することが出来るので、予め数秒だけ動作するように設定しておいても良い。
【００２２】
マグネットスイッチ(８)のＯＮ動作により通電状態となった電気式磁界発生装置(１)は、図３に示すように第１磁極(２)から第２磁極(３)へ向けた円弧状の磁力をエアギャップ部に生成する。尚、本実施例では前記磁界発生装置(１)に交流電力を供給しているため、周波数に合わせてエアギャップ部に生成される磁力の向きは反転することになるが、いずれの向きであっても生成される磁力の円弧形状は変化しない。エアギャップ部に生成された磁力は磁性体等の磁化する性質を有する物質が存在すればその物質に磁力の影響を与えつつ通り道として通過し、他方の磁極へ流れようとする性質がある。このため、第１磁極(２)から放出された磁力は、ＨＤＤ(20)内に納めされた磁気ディスク(21)表面に塗布された磁性体に引き寄せられ、磁気ディスク(21)表面の磁性体を通過した後、第２磁極(３)へ流れる。すなわち、磁気ディスクの内周に最も近い部分では、ディスク円周の約半分の距離を、外周部では約４分の１の距離に相当する磁性体を磁力が通り過ぎることとなる。尚、エアギャップ部に生成される磁力はその空間に存在する磁性体等の磁化する物質の量によって流れる磁力の量も変化する。従来の技術の様に対向する永久磁石を配置し、この磁石間に磁気ディスクを配置した場合には、ディスクの表裏に塗布された厚み分しか磁力の通り道となる磁性体が存在していないとため、流れる磁力は微量となってしまう。これに対し、本発明のようにエアギャップ部に磁気ディスクを磁力の方向と合わせて配置することにより、磁気ディスクの内周部では円周の約半分の距離の磁性体が、又、外周では円周の約４分の１の距離の磁性体が磁力の流れ道となるため、磁力の損失が少なく大量の磁力が流れる。ひいては大量の磁力により磁気ディスク表面に塗布された磁性体は大きな影響を受けることになるのである。更に、本発明の電気式磁界発生装置(１)は、帯状の方向性電磁鋼板を巻回したものであるため、エアギャップ部に磁性体等が存在しない場合にあっても、第１磁極(２)で生成された磁力は磁極端面から放射状に放出される磁力が極めて少なく、ほぼ全ての磁力が第２磁極(３)へと流れる。従って、永久磁石を用いた従来の消去装置と比較すると、磁気ディスク(21)に塗布された磁性体が受ける影響は非常に大きなものとなる。尚、交流電力のため、磁力の向きは常に変化するが、逆の向きすなわち第２磁極(３)で生成された磁力が第２磁力(２)へ向って流れるときも同様である。
【００２３】
図示の如く、エアギャップ部に生成される磁界は円弧状の磁力によるものであるため、エアギャップ部に配置した磁気ディスク(21)の左下側（図２Ａ部付近）は磁界からはずれた位置にあるので磁力の影響を殆ど受けない。しかしながら、前述のようにＨＤＤ(20)にコネクタ(11)を介して電力を供給してＨＤＤ(20)を稼働状態とさせ磁気ディスク(21)を回転させているので、磁気ディスク(21)上に塗布された磁性体は順に強い磁界内を通過することが出来、磁気ディスク(21)上の一部の磁性体が磁力の影響を受けず、磁気情報を保持するということはない。ＨＤＤは通常３０００〜７０００回転／分程度で回転しているため、１秒間に５０〜１１０回程度磁界内を通過することとなる。又、磁気ディスク(21)が回転しているため、磁気ディスク(21)に塗布された磁性体は、その回転位置によって受ける磁力の向きが異なる。第２磁極(３)付近ではディスク(21)を内→外の向きに磁力を受けることになるが、その後回転により磁界を離れ、第１磁極(２)付近に達したときには外→内の向きで磁力を受けることになる。このため、塗布された磁性体は、一定の方向に磁化されるのではなく全ての磁性体がバラバラの方向を向いた状態となり、もとの磁気情報を維持することが出来なくなる。
【００２４】
図３は電磁石により生成される磁力の強さを示すグラフである。波線で示したものは従来の製造方法による電磁石により生成される磁力を示し、電力供給後、徐々に磁力が増した後に最高磁力で安定する様子を示している。これに対し、実線は本願発明の電気式磁界発生装置が生成する磁力の強さを示したものである。電力供給後直後、発生する磁力が最高値となりその状態を維持しているのが分かる。この最高磁力生成までの時間は１秒弱である。このため、エアギャップ部に配置されたＨＤＤは電気式磁界発生装置(１)で磁力が生成された瞬間に最高磁力を受けることとなる。又、前述のように磁気ディスク(２)は回転しているため、磁気ディスク上の一部の磁性体のみが強力な磁力を受けるといったことはなく、磁気ディスク(21)に塗布された全ての磁性体が磁力を受けると共に、回転している位置によって、第２磁極(３)付近では内→外の向き、第１磁極(２)付近では外→内の向きで磁力を受けるため、磁気ディスク表面に塗布された磁性体はバラバラの向きとなる。従って、記録されている磁気情報は完全に消去されるのである。
【００２５】
図４は、電気式磁界発生装置の他の実施例を示すものである。前記実施例に用いた電気式磁界発生装置と同様に方向性電磁鋼板を巻回したものを切削加工して形成したものであるが、第１磁極(２)と第２磁極(３)が直線上において対向して配置された形状となっている。このように、本発明で用いる電気式磁界発生装置の形状は、被消去対象物を第１磁極と第２磁極との空間に存在させることの出来る形状であれば如何なる形状であっても良い。又、電気式磁界発生装置の配置についても、縦置き、横置き等任意の向きであっても良い。
【図面の簡単な説明】
【００２６】
【図１】本願発明の回路図を示す図
【図２】エアギャップ部に発生する磁界の示す図
【図３】電気式磁界発生装置で生成される磁力の立ち上がりを示すグラフ
【図４】電気式磁界発生装置の他の実施例を示す図
【符号の説明】
【００２７】
(１)電気式磁界発生装置
(２)第１磁極
(３)第２磁極
(４)コイル
(５)メインスイッチ
(６)メインタイマー
(７)起動スイッチ
(８)マグネットスイッチ
(９)サブ電源
(10)コネクタ
(11)冷却ファン
(12)電流計
(20)磁気ディスク装置（ＨＤＤ）
(21)磁気ディスク
【図１】
2005122842.tif 000003
【図２】
2005122842.tif 000004
【図３】
2005122842.tif 000005
【図４】
2005122842.tif 000006